【手続補正書】
【提出日】平成20年9月19日(2008.9.19)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  潜像を担持する潜像担持体と、該潜像担持体に現像剤を付与することにより前記潜像を現像する現像手段と、前記現像手段による現像剤像を記録材上に転写するための転写手段と、該転写手段によって前記現像剤像の転写を受けた前記記録材を加熱及び加圧することにより前記現像剤像を前記記録材に定着させる定着手段とを備える画像形成装置において、
記録材の表面に光を照射する光照射手段、および前記記録材の表面の前記光照射手段による光照射領域内を映像として読み取る読取手段を有する映像読取りセンサと、
該映像読取りセンサの出力を前記画像形成装置の動作条件に係る情報を検出するための複数のアルゴリズムによって演算する演算手段と、
前記複数のアルゴリズムから少なくとも一つのアルゴリズムを選択する選択手段とを備えることを特徴とする画像形成装置。
【請求項２】  請求項１に記載の画像形成装置において、
前記転写手段は、前記記録材を静電気力によって吸着される転写ベルト、または、前記潜像担持体上に形成された現像剤像を一次転写し、搬送された記録材に前記現像剤像を二次転写する中間転写体であって、
前記読み取りセンサは、前記転写ベルト、または、前記中間転写体に対して前記光照射手段によって光を照射し、前記光照射手段による光照射領域内を映像として読み取ることを特徴とする画像形成装置。
【請求項３】  請求項２に記載の画像形成装置において、
前記複数のアルゴリズムは、前記記録材表面の平滑性を検出して紙種判別を行う第一の検出アルゴリズム、前記記録材の厚み検出を行う第二の検出アルゴリズム、前記記録材の搬送速度の検出を行う第三の検出アルゴリズム、前記転写ベルトまたは前記中間転写体の速度の検出を行う第四の検出アルゴリズム、現像剤像の色ずれの検出を行う第五のアルゴリズムの少なくとも二つを備えることを特徴とする画像形成装置。
【請求項４】  請求項３に記載の画像形成装置において、
前記選択手段により前記第一の検出アルゴリズム、または、前記第二の検出アルゴリズムを選択して、前記演算手段により記録材の種類または記録材の厚みを演算し、演算結果に応じて前記定着手段の温度制御条件、現像手段の現像条件、転写手段の転写条件の少なくとも一つを制御する制御手段を備えることを特徴とする画像形成装置。
【請求項５】  請求項３に記載の画像形成装置において、
前記選択手段により前記第三の検出アルゴリズムを選択して、前記記録材の搬送速度を制御する制御手段を備えることを特徴とする画像形成装置。
【請求項６】  請求項３に記載の画像形成装置において、
前記選択手段により前記第四の検出アルゴリズムを選択して、前記演算手段により前記転写ベルトの速度を演算して、演算結果に応じて前記転写ベルトの速度を制御し、更に、前記第五の検出アルゴリズムを選択して前記転写ベルト上に転写した色ずれパターンの色ずれ量を演算し、色ずれがなくなるように前記潜像担持体上への現像剤像の形成タイミングを制御する制御手段を備えることを特徴とする画像形成装置。
【請求項７】  請求項３に記載の画像形成装置において、
前記選択手段により前記第四の検出アルゴリズムを選択して、前記演算手段により前記中間転写体の速度を演算して、演算結果に応じて前記中間転写体の速度を制御し、更に、前記第五の検出アルゴリズムを選択して、前記演算手段により中間転写体の速度または中間転写体上に転写した色ずれパターンの色ずれ量を演算し、色ずれがなくなるように前記潜像担持体上への現像剤像の形成タイミングを制御する制御手段を備えることを特徴とする画像形成装置。
【請求項８】  請求項１乃至７のいずれかの項に記載の画像形成装置において、
前記映像読取りセンサの前記光照射手段は、読取り対象の表面を所定の角度をもって斜めより光を照射するよう配置されていることを特徴とする画像形成装置。
【手続補正３】
【補正対象書類名】明細書
【補正対象項目名】００１７
【補正方法】変更
【補正の内容】
【００１７】
本発明は、このような状況のもとでなされたもので、一つの映像読取りセンサを多目的に利用し、ユーザービリティ及びコストパフォーマンス両方の向上を図りつつ、良好な画像を得ることができる画像形成装置を提供することを課題とするものである。
【手続補正４】
【補正対象書類名】明細書
【補正対象項目名】００１８
【補正方法】変更
【補正の内容】
【００１８】
前記課題を解決するため、本発明では、画像形成装置を次の（１）ないし（８）のとおりに構成する。
（１）潜像を担持する潜像担持体と、該潜像担持体に現像剤を付与することにより前記潜像を現像する現像手段と、前記現像手段による現像剤像を記録材上に転写するための転写手段と、該転写手段によって前記現像剤像の転写を受けた前記記録材を加熱及び加圧することにより前記現像剤像を前記記録材に定着させる定着手段とを備える画像形成装置において、
記録材の表面に光を照射する光照射手段、および前記記録材の表面の前記光照射手段による光照射領域内を映像として読み取る読取手段を有する映像読取りセンサと、
該映像読取りセンサの出力を前記画像形成装置の動作条件に係る情報を検出するための複数のアルゴリズムによって演算する演算手段と、
前記複数のアルゴリズムから少なくとも一つのアルゴリズムを選択する選択手段とを備える画像形成装置。
（２）前記（１）に記載の画像形成装置において、
前記転写手段は、前記記録材を静電気力によって吸着される転写ベルト、または、前記潜像担持体上に形成された現像剤像を一次転写し、搬送された記録材に前記現像剤像を二次転写する中間転写体であって、
前記読み取りセンサは、前記転写ベルト、または、前記中間転写体に対して前記光照射手段によって光を照射し、前記光照射手段による光照射領域内を映像として読み取る画像形成装置。
（３）前記（２）に記載の画像形成装置において、
前記複数のアルゴリズムは、前記記録材表面の平滑性を検出して紙種判別を行う第一の検出アルゴリズム、前記記録材の厚み検出を行う第二の検出アルゴリズム、前記記録材の搬送速度の検出を行う第三の検出アルゴリズム、前記転写ベルトまたは前記中間転写体の速度の検出を行う第四の検出アルゴリズム、現像剤像の色ずれの検出を行う第五のアルゴリズムの少なくとも二つを備える画像形成装置。
（４）前記（３）に記載の画像形成装置において、
前記選択手段により前記第一の検出アルゴリズム、または、前記第二の検出アルゴリズムを選択して、前記演算手段により記録材の種類または記録材の厚みを演算し、演算結果に応じて前記定着手段の温度制御条件、現像手段の現像条件、転写手段の転写条件の少なくとも一つを制御する制御手段を備える画像形成装置。
（５）前記（３）に記載の画像形成装置において、
前記選択手段により前記第三の検出アルゴリズムを選択して、前記記録材の搬送速度を制御する制御手段を備える画像形成装置。
（６）前記（３）に記載の画像形成装置において、
前記選択手段により前記第四の検出アルゴリズムを選択して、前記演算手段により前記転写ベルトの速度を演算して、演算結果に応じて前記転写ベルトの速度を制御し、更に、前記第五の検出アルゴリズムを選択して前記転写ベルト上に転写した色ずれパターンの色ずれ量を演算し、色ずれがなくなるように前記潜像担持体上への現像剤像の形成タイミングを制御する制御手段を備える画像形成装置。
（７）前記（３）に記載の画像形成装置において、
前記選択手段により前記第四の検出アルゴリズムを選択して、前記演算手段により前記中間転写体の速度を演算して、演算結果に応じて前記中間転写体の速度を制御し、更に、前記第五の検出アルゴリズムを選択して、前記演算手段により中間転写体の速度または中間転写体上に転写した色ずれパターンの色ずれ量を演算し、色ずれがなくなるように前記潜像担持体上への現像剤像の形成タイミングを制御する制御手段を備える画像形成装置。
（８）前記（１）乃至（７）のいずれかの項に記載の画像形成装置において、
前記映像読取りセンサの前記光照射手段は、読取り対象の表面を所定の角度をもって斜めより光を照射するよう配置されている画像形成装置。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】０１０２
【補正方法】変更
【補正の内容】
【０１０２】
【発明の効果】
以上説明したように、本発明によれば、一つの映像読取りセンサを多目的に利用し、ユーザービリティ及びコストパフォーマンス両方の向上を図りつつ、良好な画像を得ることができる画像形成装置を提供することができる。
【手続補正１７】
【補正対象書類名】明細書
【補正対象項目名】０１０３
【補正方法】変更
【補正の内容】
【０１０３】
詳しくは、請求項４記載の発明によれば、ユーザービリティ及びコストパフォーマンスの向上を図りつつ様々な種類の記録材においても最適な定着処理条件、現像処理条件、転写処理条件で処理を施し良好な画像を得ることができる。
【手続補正１８】
【補正対象書類名】明細書
【補正対象項目名】０１０４
【補正方法】変更
【補正の内容】
【０１０４】
請求項６，７記載の発明によれば、ユーザービリティ及びコストパフォーマンスの向上を図りつつ、色ずれの無い良好な画像を得ることができる。